(57)【要約】【課題】固定子での残し隙間よりも高い切り屑が排除され、固定子と可動子との間の隙間が維持され、固定子と可動子との間の磁性感応が正常に維持され、可動子が固定子に対して正常に移動可能になるリニアモータ用切り屑排除構造を提供する。【解決手段】台座に組み付けられた固定子と、前記固定子に摺動自在に組み付けられ、その端部と前記固定子との間に一定の長さを持つ隙間がある可動子と、一端が前記可動子の端部に組み付けられ、他端が斜面を持つ開角に形成され、前記開角の端部と前記固定子との間に残し隙間があり、前記開角が前記可動子の摺動経路に沿って切り屑を排除する作動組と、を含むことを特徴とするリニアモータ用切り屑排除構造。【選択図】図２
2008172917.tif 000002
【特許請求の範囲】
【請求項１】
台座に組み付けられた固定子と、
前記固定子に摺動自在に組み付けられ、その端部と前記固定子との間に一定の長さを持つ隙間がある可動子と、
一端が前記可動子の端部に組み付けられ、他端が斜面を持つ開角に形成され、前記開角の端部と前記固定子との間に残し隙間があり、前記開角が前記可動子の摺動経路に沿って切り屑を排除する作動組と、を含むことを特徴とする、リニアモータ用切り屑排除構造。
【請求項２】
前記作動組は切り屑移動具を含み、前記切り屑移動具の一端が前記可動子の端部に応じて固定部が成形され、前記固定部により前記切り屑移動具が前記可動子の端部に位置決められ、前記切り屑移動具の他端が前記固定子の表面に応じて押え部が成形され、前記押え部が斜面を持つ開角に斜めに形成され、前記押え部の開角の端部と前記固定子との間には残し隙間があることを特徴とする、請求項１に記載のリニアモータ用切り屑排除構造。
【請求項３】
前記切り屑移動具の押え部の端部と前記固定子との間にある残し隙間は、前記可動子と前記固定子との間にある隙間よりも小さいことを特徴とする、請求項２に記載のリニアモータ用切り屑排除構造。
【請求項４】
前記作動組の押え部には、第一斜面と、第二斜面と、が成形してあり、前記第一斜面と前記第二斜面とがある開角に形成するように、前記第一斜面が前記第二斜面の一側と連接し、前記開角は30〜60度程度であることを特徴とする、請求項３に記載のリニアモータ用切り屑排除構造。
【請求項５】
前記作動組の押え部には、第一斜面と、第二斜面と、が成形してあり、前記第一斜面と前記第二斜面とがある開角に形成するように、前記第一斜面が前記第二斜面の一側と連接し、前記開角は30〜60度程度であることを特徴とする、請求項２に記載のリニアモータ用切り屑排除構造。
【発明の詳細な説明】
【技術分野】
【０００１】
本発明は、切り屑排除構造に係り、特に、リニアモータ用切り屑排除構造に関するものである。
【背景技術】
【０００２】
目下、従来のリニアモータ１０は、図１び示すように、一つの固定子１１と、一つの可動子１２と、二つの切り屑移動具１３とを含み、前記固定子１１が台座に組み付けられ、磁性感応により前記可動子１２が前記固定子１１に対応して移動するようになり、前記固定子１１と前記可動子１２との間には隙間Ａがあり、前記切り屑移動具１３がストリップ形状を持つ樹脂製保護カバー１３１である。
【０００３】
従来のリニアモータ１０の固定子１１と可動子１２とが切り屑いっぱいの加工環境に設置される場合には、リニアモータ１０にある切り屑移動具１３の保護カバー１３１が切り屑を排除する。
【発明の開示】
【発明が解決しようとする課題】
【０００４】
しかしながら、切り屑移動具１３の保護カバー１３１は、樹脂材料で作製されたものであり、且つストリップ形状を持つので、可動子１２が長時期に高速で固定子１１に対して移動すると、切り屑移動具１３が磨耗されて変形し易く、だから、隙間Ａを限定長さに維持することはできなくなり、ひいては可動子１２と固定子１１との間にある隙間Ａに切り屑が堆積するようになり、可動子１２の磁性感応が阻害され、且つ可動子１２の固定子１１に対する移動経路が妨害され、これにより、装置全体の運転のスムーズさが影響される。
【０００５】
本発明の主な目的は、可動子が感応されて固定子に対して移動する場合に、可動子に組み付けられた作動組の切り屑移動具により、固定子での残し隙間よりも高い切り屑が排除され、固定子と可動子との間の隙間が維持され、これにより、固定子と可動子との間の磁性感応が正常に維持され、可動子が固定子に対して正常に移動可能になるリニアモータ用切り屑排除構造を提供することにある。
【課題を解決するための手段】
【０００６】
上記目的を達成するためになされた本願の発明は、台座に組み付けられた固定子と、前記固定子に摺動自在に組み付けられ、その端部と前記固定子との間に一定の長さを持つ隙間がある可動子と、一端が前記可動子の端部に組み付けられ、他端が斜面を持つ開角に形成され、前記開角の端部と前記固定子との間に残し隙間があり、前記開角が前記可動子の摺動経路に沿って切り屑を排除する作動組と、を含むことを特徴とするリニアモータ用切り屑排除構造であることを要旨としている。
【０００７】
本願の発明では、前記作動組は切り屑移動具を含み、前記切り屑移動具の一端が前記可動子の端部に応じて固定部が成形され、前記固定部により前記切り屑移動具が前記可動子の端部に位置決められ、前記切り屑移動具の他端が前記固定子の表面に応じて押え部が成形され、前記押え部が斜面を持つ開角に斜めに形成され、前記押え部の開角の端部と前記固定子との間には残し隙間があることを特徴とする請求項１に記載のリニアモータ用切り屑排除構造であることを要旨としている。
【０００８】
本願の発明では、前記切り屑移動具の押え部の端部と前記固定子との間にある残し隙間は、前記可動子と前記固定子との間にある隙間よりも小さいことを特徴とする請求項２に記載のリニアモータ用切り屑排除構造であることを要旨としている。
【０００９】
本願の発明では、前記作動組の押え部には、第一斜面と、第二斜面と、が成形してあり、前記第一斜面と前記第二斜面とがある開角に形成するように、前記第一斜面が前記第二斜面の一側と連接し、前記開角は30〜60度程度であることを特徴とする請求項３に記載のリニアモータ用切り屑排除構造であることを要旨としている。
【００１０】
本願の発明では、前記作動組の押え部には、第一斜面と、第二斜面と、が成形してあり、前記第一斜面と前記第二斜面とがある開角に形成するように、前記第一斜面が前記第二斜面の一側と連接し、前記開角は30〜60度程度であることを特徴とする請求項２に記載のリニアモータ用切り屑排除構造であることを要旨としている。
【発明の効果】
【００１１】
本発明のリニアモータ用切り屑排除構造によれば、可動子が感応されて固定子に対して移動する場合には、可動子に組み付けられた作動組の切り屑移動具により、固定子での残し隙間よりも高い切り屑が排除され、固定子と可動子との間の隙間が維持され、これにより、固定子と可動子との間の磁性感応が正常に維持され、可動子が固定子に対して正常に移動可能になる効果を有する。
【発明を実施するための最良の形態】
【００１２】
以下、添付図面を参照して本発明の好適な実施の形態を詳細に説明する。
【００１３】
まず、図２と図３を参照する。本発明のリニアモータ用切り屑排除構造は、固定子２０と、可動子３０と、作動組４０と、を含む。
【００１４】
前記固定子２０は、それぞれ工作機械の台座に組み付けられ、その数量が加工の必要に応じて適当に設置される。
【００１５】
前記可動子３０は、対向している固定子２０の間に設置され、固定子２０との間には隙間Ａがあり、これにより、可動子３０が磁性感応されて固定子２０に対して往復動になる。
【００１６】
前記固定子２０と前記可動子３０とは、鉄コアありタイプ、又は鉄コア無しタイプのリニアモータの従来の構造を採用する。
【００１７】
前記作動組４０は、一つの位置決め具４１と、二つの切り屑移動具４２とを含む。
【００１８】
前記固定子２０は、矩形のプレートであり、可動子３０の二つの端部にそれぞれ組み付けられる。
【００１９】
前記切り屑移動具４２は、非磁性金属材料で作製されたものであり、湾折された形状を持ち、一つの固定部４２１と、一つの押え部４２２とを含む。
【００２０】
前記固定部４２１が切り屑移動具４２の一端部に成形され、ネジにより前記固定部４２１が位置決め具４１の両側に脱着自在に組み付けられる。
【００２１】
前記切り屑移動具４２の押え部４２２は、ブロック形状を呈し、適当な角度の傾斜で切り屑移動具４２の他端部に成形され、前記押え部４２２には、第一斜面４２３と、第二斜面４２４と、が成形してあり、前記第一斜面４２３と前記第二斜面４２４とがある開角に形成する（θが45度，θ´が30度、又はθ″が60度）ように、前記第一斜面４２３が前記第二斜面４２４の一側と連接し、しかし、θの好適な使用角度は45度であり、切り屑移動具４２は、固定部４２１に位置決められた状態で、その押え部４２２の開角（θ，θ´，θ″）の端部と、固定子２０との間に残し隙間Ｂがあり、これにより、押え部４２２の開角（θ，θ´，θ″）が可動子３０の移動経路に沿って切り屑を排除するようになり、すなわち、前記押え部４２２の第一斜面４２３と第二斜面４２４により固定子２０での切り屑が排除され、ネジにより、位置決め具４１に脱着自在に組み付けられる切り屑移動具４２の固定部４２１の位置は調整可能であり、これにより、残し隙間Ｂが調整可能になる。
【００２２】
次に、下記の二つの構造を例にして、本発明の作動方式と効果を詳細に説明する。
【００２３】
Ａ構造の場合には、切り屑移動具４２の押え部４２２の端部と、固定子２０との間の残し隙間Ｂは、可動子３０と固定子２０との間の隙間Ａよりも小さい。
【００２４】
Ｂ構造の場合には、切り屑移動具４２の押え部４２２の端部と、固定子２０との間の残し隙間Ｂは、可動子３０と固定子２０との間の隙間Ａと同じである。
【００２５】
まず、Ａ構造の場合の使用状態について説明する。可動子３０が磁性感応されて高速で固定子１１に対して移動するときに、作動組４０の切り屑移動具４２の押え部４２２の斜面により切り屑が排除され、すなわち、前記押え部４２２の第一斜面４２３と第二斜面４２４により固定子２０での切り屑が排除され、だから、固定子２０と可動子３０との間の隙間Ａは移動経路において一定に維持され、且つ可動子３０の磁性感応がスムーズになり、工作機械の加工効率が向上する。
【００２６】
次に、Ｂ構造の場合の使用状態について説明する。可動子３０が磁性感応されて高速で固定子１１に対して移動するときに、作動組４０の切り屑移動具４２の押え部４２２のブロック形状と、作動組４０の切り屑移動具４２の押え部４２２が非磁性金属材料で作製されたものであるとにより切り屑が排除される。作動組４０の切り屑移動具４２の押え部４２２は、厚いブロック形状を持ち、且つ非磁性金属材料により構造を強化するので、作動組４０の切り屑移動具４２の構造の完全性を確保することができ、磨耗が低減になり、使用寿命がもっと長くなり、作動組４０の切り屑移動具４２の交換頻度が低減になり、保全コストが降下する。
【００２７】
ここで、特に強調したいのは、可動子３０は作動組４０の切り屑移動具４２により、固定子２０での余計な切り屑を排除し、すなわち、固定子２０での全ての切り屑を排除することではなく、固定子２０での残った切り屑は、可動子３０の磁性感応に悪影響を与えないので、この状態では、可動子３０はスムーズに作動することができる。
【図面の簡単な説明】
【００２８】
【図１】切り屑を排除している従来の切り屑排除具の変形状態を示す側面図である。
【図２】本発明の斜視概略図である。
【図３】本発明の切り屑排除具の開角が４５度である状態を示す上面図である。
【図４】本発明の切り屑排除具の使用状態を示す概略図である。
【図５】本発明の切り屑排除具の開角が３０度である状態を示す上面図である。
【図６】本発明の切り屑排除具の開角が６０度である状態を示す上面図である。
【図７】本発明の切り屑排除具を上下に移動することにより調整することを示す概略図である。
【符号の説明】
【００２９】
１０      リニアモータ
１１      固定子
１２      可動子
１３      切り屑排除具
Ａ        隙間
２０      固定子
３０      可動子
４０      作動組
４１      位置決め具
４２      切り屑移動具
４２１    固定部
４２２    押え部
４２３    第一斜面
４２４    第二斜面
Ａ        隙間
Ｂ        残し隙間
θ，θ´，θ″    開角
【図１】
2008172917.tif 000003
【図２】
2008172917.tif 000004
【図３】
2008172917.tif 000005
【図４】
2008172917.tif 000006
【図５】
2008172917.tif 000007
【図６】
2008172917.tif 000008
【図７】
2008172917.tif 000009